【手続補正書】
【提出日】平成25年5月14日(2013.5.14)
【手続補正１】
【補正対象書類名】明細書
【補正対象項目名】００６０
【補正方法】変更
【補正の内容】
【００６０】
図３にはカメラ部１０の構成が例示される。カメラ部１０は駆動素子３０の駆動力で焦点深度方向に往復動可能に支持されたフォーカスレンズ３１を有し、フォーカスレンズ３１の位置はエンコーダ３２で検出される。フォーカスレンズ３１のＡＦ制御は例えばマイクロコンピュータ５が赤外線検出器４０を用いてアクティブ方式で行う。赤外線検出器４０は、ＬＥＤドライバ４１で点燈駆動されるＬＥＤ４２からの光をフォーカスレンズ３１を通して被写体４３に照射する。そして、その反射光を受光レンズ４４を通して受光素子４５で受けて差動の光電変換信号を生成し、光電変換信号をセンスアンプ４６，４７で前置増幅させる。その後、これを差動増幅回路４８で増幅した検出信号をサンプルホールド回路４９に一時的に保持して、保持された検出信号をＡ／Ｄコンバータ５０で順次ディジタル変換してマイクロコンピュータ５に与える。マイクロコンピュータ５はその検出信号に基づいて反射光の戻り時間に対応して被写体４３までの距離を判別し、判別した距離にフォーカスレンズ３１の焦点距離を合わせるように駆動素子３０を駆動し、検出信号の強度に基づいてフォーカスレンズ３１が合焦したか否かを確認する。マイクロコンピュータ５のＡＦ制御において、フォーカスレンズ３１が合焦したときの焦点距離は、前記赤外線検出器４０を用いて計測した被写体４３までの距離とみなすことができ、この焦点距離はマイクロコンピュータ５のワークメモリ若しくはメモリデバイス１８等のメモリ領域に保持され、カメラ部１０による撮像画像を立体表示するためのデータ処理（３次元表示データ化処理）などに用いられる。
【手続補正２】
【補正対象書類名】明細書
【補正対象項目名】００６１
【補正方法】変更
【補正の内容】
【００６１】
図４にはフォーカスレンズ３１のＡＦ制御を位相検出によるパッシブ方式で行う場合の構成が例示される。図４では赤外線検出器４０に代えて位相検出器４０Ａを用いる。位相検出器４０Ａはフォーカスレンズ３１から入った光は撮像系とＡＦ系に分けられ、ＡＦ系に分けられた光が位相検出器４０Ａに導かれる。位相検出器４０Ａは、入射した光をセパレータレンズ６０で分けて２つの画像を撮像ラインセンサ６１に結像させ、結像した２つの画像データをサンプルホールド回路６２で保持する。さらに、位相検出器４０Ａは、保持したデータを順次オートゲインコントロール（ＡＧＣ）アンプ６３で増幅して再度サンプルホールド回路６４でホールドし、ホールドされた検出信号をＡ／Ｄコンバータ６５で順次ディジタル変換してマイクロコンピュータ５に与える。マイクロコンピュータ５はその検出信号に基づいて上記結像された２つの画像の間隔から合焦する焦点位置の方向と移動量を判別してＡＦ制御を行う。マイクロコンピュータ５のＡＦ制御において、フォーカスレンズ３１が合焦したときの焦点距離は、前記赤外線検出器４０Ａを用いて計測した被写体４３までの距離とみなすことができ、この焦点距離はマイクロコンピュータ５のワークメモリ若しくはメモリデバイス１８に保持され、カメラ部１０による撮像画像を立体表示するためのデータ処理（３次元表示データ化処理）などに用いられる。撮像ラインセンサ６１はクロックジェネレータ６７から出力されるクロック信号に同期して撮像素子制御装置６８が生成する駆動信号により電荷転送による検出動作を行う。
【手続補正３】
【補正対象書類名】明細書
【補正対象項目名】００６３
【補正方法】変更
【補正の内容】
【００６３】
メインバス７１はバスブリッジ回路（ＢＲＤＧ）７４を介して周辺バス（ＰＢＵＳ）７５に接続する。周辺バス７５には、入力操作ユニット（ＩＮＰＴＯＰ）１３に接続される入出力ポート（ＰＯＲＴ）７６、カメラ部１０に接続する入出力ポート（ＰＯＲＴ）７７、カメラ部１０に接続するキャプチャ回路（ＣＥＵ）７８、液晶ディスプレイパネル１１に接続してその表示制御を行う液晶表示制御回路（ＬＣＤＣ）７９、補正回路（ＤＩＳＰ）８０、回転処理回路（２ＤＲ）８１、ブレンド処理回路（ＢＥＵ）８２、及びリサイズ回路（ＶＥＵ）８３などが接続される。補正回路８０、回転処理回路（２ＤＲ）８１、ブレンド処理回路（ＢＥＵ）８２、及びリサイズ回路（ＶＥＵ）８３はＣＰＵ７０の指示に基づいて画像データを処理するアクセラレータであり、補正回路８０は画像強調処理などを行い、回転処理回路（２ＤＲ）８１は画像データのＤＭＡ転送を用いて画像の回転処理を行い、ブレンド処理回路（ＢＥＵ）８２は複数の画像や色などの重ねあわせの処理を行い、リサイズ回路（ＶＥＵ）８３は画像サイズの拡大又は縮小を行う回路である。
【手続補正４】
【補正対象書類名】明細書
【補正対象項目名】００７６
【補正方法】変更
【補正の内容】
【００７６】
図９には処理Ａの詳細な処理手順が例示される。シャッターボタンＢＴＮを中間まで押下（中押し）されると（Ｓ１）、カメラ部１０でＡＦ制御が開始され（Ｓ２）、フォーカスエリアの被写体に対する距離を計測して光学系の焦点距離をその計測距離にあわせる処理が行われる（Ｓ３）。光学系の焦点距離が確定されるとカメラ部１０でモニタ画像が撮像され（Ｓ５）、撮像されたモニタ画像のデータがキャプチャ回路７８に入力され、入力されたモニタ画像データは補正回路８０で必要な手振れ補正などが施され（Ｓ６）、ワークメモリ７３に格納される（Ｓ７）。ワークメモリに格納されたモニタ画像のデータに対する表示処理が開始され（Ｓ８）、予め設定されている表示形態のオプション指定などに従って、ブレンド処理回路８２による色変換及びブレンド処理（Ｓ９）、リサイズ回路８３による画像のサイズ変更処理（Ｓ１０）、回転処理回路８１による画像の回転処理（Ｓ１１）、ブレンド処理回路８２による電池残量などの別の色変換及びブレンド処理（Ｓ１２）、及び液晶表示成魚回路７９による液晶ディスプレイ１１の出力調整（Ｓ１３）などが必要に応じて行われ、それらの処理が施された画像データが液晶ディスプレイ１１に表示され（Ｓ１４)、モニタ画像の表示処理が完了される（Ｓ１５）。撮影者はその表示状態を確認し、不都合であればシャッターボタンＢＴＮの中押し状態を開放することにより、ステップＳ１から処理をやり直すことができる。その表示状態でよければシャッターボタンＢＴＮを奥まで押し込むことにより（Ｓ２０）、次の処理Ｂが開始されて、そのモニタ画像の構図で撮像が行われる。
【手続補正５】
【補正対象書類名】明細書
【補正対象項目名】００７８
【補正方法】変更
【補正の内容】
【００７８】
特に、ステップＳ２３〜Ｓ２７に示されるように、焦点距離を変えて撮像する複数の撮像データの撮像順序を、近接位置（近傍位置）、ＡＦ焦点位置（中心位置）、遠方位置（遠望位置）の順に制御するから、カメラ部１０が合焦する動作方向を一方向に制限でき、ＡＦ焦点位置を基点に行う場合のように動作方向を往復方向にしなくてもよいから、焦点距離を変えて複数の撮像データを取得する動作の高速化と安定性を増すことができる。
【手続補正６】
【補正対象書類名】明細書
【補正対象項目名】０１０２
【補正方法】変更
【補正の内容】
【０１０２】
マイコンとＳＤＲＡＭは個別パッケージされた半導体装置に限定されず、ＰＯＰ（(Package on Package）ＳｉＰ（System in Package）として単一モジュール化されてもよいし、ＳｏＣ（System on a chip）として単一ＬＳＩかされてもよい。
【手続補正７】
【補正対象書類名】図面
【補正対象項目名】図１５
【補正方法】変更
【補正の内容】
【図１５】
2012151667.tif 000001
【手続補正８】
【補正対象書類名】図面
【補正対象項目名】図１６
【補正方法】変更
【補正の内容】
【図１６】
2012151667.tif 000002